(57)【要約】      （修正有）【課題】部品点数が少なく、多くの書類を綴じることができ、強度的に優れたファイルを提供する。【解決手段】基材と、上記基材と接合され、書類を保持する保持部２２と、を含むファイル１００であり、上記保持部は、上記書類を綴じる棒状部を有する支え部と、上記棒状部を受ける受け部２２ｃとを有し、上記受け部は、上記棒状部を切り欠きで受ける突起部と、上記棒状部を貫通穴で受けるカバー部とを含み、上記突起部と上記カバー部とが組み合わされ、上記棒状部を上記ファイルに固定するファイルを用いる。【選択図】図２
0003235264.tif 000002
【実用新案登録請求の範囲】
【請求項１】
基材と、
前記基材と接合され、書類を保持する保持部と、を含むファイルであり、
前記保持部は、前記書類を綴じる棒状部を有する支え部と、前記棒状部を受ける受け部とを有し、
前記受け部は、前記棒状部を切り欠きで受ける突起部と、前記棒状部を開口で受けるカバー部とを含み、前記突起部と前記カバー部とが組み合わされ、前記棒状部を前記ファイルに固定するファイル。
【請求項２】
前記支え部は、前記棒状部を有さない固定部と前記棒状部を有する移動部とを有し、
前記固定部と前記移動部とが相対的に変形し、前記移動部は、前記固定部より変形できる請求項１記載のファイル。
【請求項３】
前記カバー部には、掛け部があり、前記掛け部が、前記突起部に掛けられ、前記カバー部と前記突起部とが合体される請求項１又は２記載のファイル。
【請求項４】
前記カバー部には、前記棒状部の先端が通る開口がある請求項１〜３のいずれか１項に記載のファイル。
【請求項５】
前記保持部は、一体成形で１部品として形成されている請求項１〜４のいずれか１項に記載のファイル。
【考案の詳細な説明】
【技術分野】
【０００１】
ファイルとその製造方法に関する。特に、多くの書類を綴じるファイル、例えば、サンプル、見本などを綴じるファイルに関する。
【背景技術】
【０００２】
従来ファイル（特許文献１）があった。このファイルでは、保持部を背装部に一体形成ファイルである。部品を少なくしている。
【先行技術文献】
【特許文献】
【０００３】
【特許文献１】特開平１０−１５７３６９号公報
【考案の概要】
【考案が解決しようとする課題】
【０００４】
しかし、従来のファイルでは、保持部を背装部に一体化されているが、強度的に弱かった。多くの書類を綴じるファイル、例えば、サンプル、見本などを綴じるファイルとして適さなかった。
【０００５】
よって、本願発明の課題は、部品点数が少なく、多くの書類を綴じることができ、強度的に優れたファイルを提供することを課題とする。
【課題を解決するための手段】
【０００６】
上記課題を解決するため、基材と、上記基材と接合され、書類を保持する保持部と、を含むファイルであり、上記保持部は、上記書類を綴じる棒状部を有する支え部と、上記棒状部を受ける受け部とを有し、上記受け部は、上記棒状部を切り欠きで受ける突起部と、上記棒状部を貫通穴で受けるカバー部とを含み、上記突起部と上記カバー部とが組み合わされ、上記棒状部を上記ファイルに固定するファイルを用いる。
【考案の効果】
【０００７】
本願考案のファイルは、部品点数が少なく、多くの書類を綴じることができ、強度的に優れたファイルである。
【図面の簡単な説明】
【０００８】
【図１】実施の形態のファイルの斜視図
【図２】実施の形態のファイルを開いた状態の斜視図
【図３】実施の形態のファイルの保持部の斜視図
【図４】実施の形態のファイルの保持部の斜視図
【考案を実施するための形態】
【０００９】
（実施の形態）
＜概略＞
図１に、本願実施の形態のファイル１００の斜視図を示す。ファイル１００は、書類１１を綴じ保管、書類１１を閲覧するものである。この例では、背部にハンドル１０がある。ハンドル１０は、ヒンジにより背部に垂直方向に移動できる。ハンドル１０をもって、ファイル１００を運搬、取り出しできる。ハンドル１０は無くともよい。
【００１０】
図２に、本願実施の形態のファイル１００を開いた内部側の斜視図を示す。ファイル１００は、基材２１と保持部２２とを有する。
基材２１は、厚紙や樹脂材などのシート状のものである。基材２１は、表部２１ｃと背部２１ｂと裏部２１ａを有する。背部２１ｂを中心に、表部２１ｃと裏部２１ａとが垂直方向へ移動でき、書類１１をはさみ保持できる。
【００１１】
保持部２２は、支え部２２ａと棒状部２２ｃと受け部２２ｃとを有する。
支え部２２ａは、棒状部２２ｃを支える。受け部２２ｃは、棒状部２２ｃの先端を受け止める。
棒状部２２ｃに、書類１１の端部の孔を通して、書類１１をファイル１００に閉じる（図１）。
基材２１に、保持部２２と取り付けている。保持部２２は、樹脂の一体形成で１部品として作製される。基材２１の紙製でも樹脂製でもよい。樹脂としては、とくに問わないが、ポリオレフィン系樹脂、たとえば、ポリプロピレン、プロピレン−エチレンランダム共重合体、プロピレン−エチレンブロック共重合体、ポリエチレンなどが好適である。さらに、これらに、タルクや炭酸カルシウムなどの充填剤、酸化チタンなどの着色剤、その他安定剤などを添加してもよい。
【００１２】
＜詳細＞
図３と図４に、保持部２２の斜視図を示す。図３、図４は、保持部２２に書類１１を綴じるところの状態である。
保持部２２は、連結部２３と支え部２２ａと受け部２２ｃとを有する。
連結部２３は、平板状のもので、一端に支え部２２ａに、他端に受け部２２ｃと、を有する。保持部２２は、全体として、一体化されている。例えば、樹脂で一体成形化されている。１部品である。
【００１３】
図４では、保持部２２ａと支え部２２ａとが分離された状態を示し、書類１１を綴じることができる状態である。なお、書類１１には、開口があり、棒状部２２ｃへ差し込まれる。図３では、棒状部２２ｃが突起部４２に、はめ込まれ、カバー部４１を突起部４２に組み合わせる前の状態を示す。
【００１４】
（１）支え部２２ａ
支え部２２ａは、Ｌ字状の板部材である。頂部と側部で、断面Ｌ字である。支え部２２ａじゃ、固定部３１と、その両端の移動部３２とを含む。移動部３２には、棒状部２２ｃを有する。この場合４本であるが、２、３本でもよい。複数あればよい。固定部３１には、棒状部２２ｃがない。移動部３２は、固定部３１より変形でき、書類１１の出し入れ時に、変形でき有効である。移動部３２と固定部３１とを、固定する突起３６がある。移動部３２が、固定部３１から離れる時、すなわち、棒状部２２ｃを連結部２３に対して垂直方向へ移動する時（書類１１を綴じる時）は、突起３６がはずれる。棒状部２２ｃが、連結部２３に平行になる時、つまり、棒状部２２ｃを受け部２２ｃへはめ込む時は、突起３６は、固定部３１の凹部（図示せず）にはめ込まれしっかり固定される。なお、書類１１を綴じる時に、固定部３１と移動部３２とは分離していれも、分離されていなくともよい。書類１１が多くなった場合は、分離されている方が書類１１を綴じやすい。
棒状部２２ｃは、Ｌ字状の板部材の頂部裏と側部（折れ曲がる部分）に固定されている。また、棒状部２２ｃには、底部に凹部３４がある。支え部２２ａには、この凹部３４に入り込む突起３５がある。これは、棒状部２２ｃに、書類１１を入れ込む場合に、棒状部２２ｃは、ある程度変形しやすいように、するためである。つまり、書類１１を棒状部２２ｃに入れ込む場合は、棒状部２２ｃが、連結部２３に対して垂直方向に位置し、凹部３４から突起３５が離れる状態で、棒状部２２ｃが変形しやすい。逆に、書類１１が閉じられた状態では、棒状部２２ｃは、連結部２３に平行状態で、凹部３４に突起３５が入る状態で、棒状部２２ｃが強度的にしっかりする。
なお、棒状部２２ｃには、先端付近に凹部であるへこみ部３０がある。へこみ部は、後で説明する切り欠き４７にはめ込まれ、棒状部２２ｃが固定されやすい。
【００１５】
（２）受け部２２ｃ
受け部２２ｃは、突起部４２とカバー部４１とを含む。突起部４２は、変形せず、棒状部２２ｃを受ける。カバー部４１は、変形でき、突起部４２と組み合わされ、一体化される。
突起部４２は、切り欠き４７と、欠け部４８とを有する。切り欠き４７は、突起部４２の平板を切り欠いたもので、棒状部２２ｃを入れ込む部分である。
欠け部４８は、突起部４２の平板の端部のコーナをかけさせた部分で、カバー部４１のはめ込み部４３を入れ込むところである。
【００１６】
カバー部４１は、補強部４４と開口４５と掛け部４６とはめ込み部４３とを有する。カバー部４１は、Ｌ字形状（頂部と側部があり、断面形状がＬ字）の板状体である。
補強部４４は、開口４５の横にあり、厚みのある突起である。開口４５の周辺の強度を補強する。
開口４５は、棒状部２２ｃの先端部分が通る貫通孔である。棒状部２２ｃをしっかり受け、しっかり固定する。
【００１７】
掛け部４６は、厚みの薄い突起で、変形しやすく、突起部４２の上辺へ掛けられ、カバー部４１と突起部４２とを組み合わせ、固定する。また、掛け部４６は、変形しやすく、カバー部４１と突起部４２とを組み合わせを解除、固定することが容易にできる。
はめ込み部４３は、突起部４２の欠け部４８に組み合わされる突起である。結果、カバー部４１と突起部４２とを組み合わせた場合に強度的に強くなる。
【００１８】
なお、連結部２３の両端と受け部２２ｃ、支え部２２ａとの間には、曲げ部３７、４９がある。この部分は、連結部２３、受け部２２ｃ、支え部２２ａの平面部より、厚みが薄く、曲がりやすい。書類１１をセットする時に変形できる。
【００１９】
（３）接続
保持部２２は、連結部２３のところで、基材２１の背部２１ｂに接続される。
第１固定部５１が連結部２３の中央付近にあり、ネジで連結部２３を背部２１ｂへ固定される。
第２固定部５２が連結部２３の４つのコーナ部にあり、固定留め具で連結部２３を背部２１ｂへ固定される。
【００２０】
＜効果＞
上記構造により、受け部２２ｃと支え部２２ａの脱着が容易であるが、強度的にしっかりしたファイルとなる。
【００２１】
＜書類のセット方法＞
（１）ファイル１００が閉じられた状態の保持部２２は、図２の状態である。この状態から、受け部２２ｃのカバー部４１を突起部４２から分離する。その状態が図３である。
（２）その後、棒状部２２ｃを受け部２２ｃから分離し、基材２１に対して、垂直方向へ移動させる(図４)。
（３）その後、棒状部２２ｃへ書類１１を入れ込む。
（４）その後、棒状部２２ｃを切り欠き４７に入れ込む（図３）。
（５）その後、突起部４２とカバー部４１を合体させる。
書類１１を別のものへ変える場合は、（１）から始め、（３）で書類１１を入れ替えればよい。
【００２２】
＜全体として＞
支え部２２ｃが、固定部３１と移動部３２とを有することは必須ではない。あれば好ましい。
カバー部４１の掛け部４６、開口４５、補強部４４も、必須ではない。あれば好ましい。
【産業上の利用可能性】
【００２３】
本願ファイルは、各種見本、サンプルだけでなく、論文、経理書類、カード、写真の保存などいろいろな書類用のファイルとして利用できる。
【符号の説明】
【００２４】
９  回収部
１０  ハンドル
１１  書類
２１  基材
２１ａ  裏部
２１ｂ  背部
２１ｃ  表部
２２  保持部
２２ａ  支え部
２２ｂ  棒状部
２２ｃ  受け部
２３  連結部
３１  固定部
３２  移動部
３４  凹部
３５  突起
３６  突起
３７  曲げ部
４１  カバー部
４２  突起部
４３  はめ込み部
４４  補強部
４５  開口
４６  掛け部
４７  切り欠き
４８  欠け部
４９  曲げ部
５１  第１固定部
５２  第２固定部
１００  ファイル
【図１】
0003235264.tif 000003
【図２】
0003235264.tif 000004
【図３】
0003235264.tif 000005
【図４】
0003235264.tif 000006